(57)【要約】      （修正有）【課題】各構成部品を接続する接続部材が隠され、あるいは構成部品の内側に配され、また、各構成部品を安定的に固定する家具を提供する。【解決手段】ラック２０に接続穴２１２を有する複数の接続板２１１を設け、接続穴、サイドフレーム１０の脚部１１及び横棒１２に設けられた開口部、脚部及び横棒を接続するＬ字型角部材１３の受け穴に接続部材４０を通し、ラック及びサイドフレームを固定する。ラックは、補助サイドフレーム、補助横棒、及びブリッジを含む。【選択図】図２
0003117653.tif 000002
【実用新案登録請求の範囲】
【請求項１】
二つの脚部及び該二つの脚部間に接続された横棒を備えた二つのサイドフレームからなる家具であって、
前記二つのサイドフレーム間に接続されるラックと、
前記ラックに設けられた複数の接続板と、
前記接続板を通じ、前記ラックをサイドフレームの内側に固定する接続部材と、
前記ラック上部に設けられた管状部材と、
下部に複数の挿入部を有する天板と、
前記ラック上部に設けられた管状部材を通じ、前記挿入部に接続され、天板を固定する接続部材と
を含むことを特徴とする家具。
【請求項２】
前記サイドフレームの脚部及び横棒が、Ｌ字型の角部材によって接続され、
前記ラックに設けられた複数の接続板が、接続穴を有し、
前記Ｌ字型の角部材が受け穴を有し、
前記サイドフレームの脚部及び横棒の内側に、前記接続穴及び受け穴に対応する開口部が設けられ、
前記接続穴、開口部、及び受け穴に接続部材が通され、サイドフレーム及びラックが接続されることを特徴とする、
請求項１に記載の家具。
【請求項３】
前記ラックが、二つの補助サイドフレームを含み、
前記補助サイドフレームが、二つの補助脚部及び該補助脚部の間に接続されるブリッジを含み、
前記補助サイドフレームの間に、複数の補助横棒が接続され、
前記補助横棒上に載せられる棚板が傷つかないように、前記補助横棒上に複数のソフトパッドが設けられる、
請求項１又は２に記載の家具。
【請求項４】
前記補助サイドフレームのブリッジが、前記管状部材に連通する複数の貫通穴を有し、
前記天板の挿入部が管状部材の内部に挿入され、
前記貫通穴、管状部材、及び挿入部に接続部材が通され、前記補助サイドフレーム及び天板が接続される、請求項１〜３の何れか一に記載の家具。
【請求項５】
前記サイドフレームが、その脚部の下方内側にねじ穴を有し、
前記ラックの接続板の接続穴及び前記ねじ穴が接続部材で接続される
請求項１〜４の何れか一に記載の家具。
【請求項６】
前記脚部が、第一傾斜端を有し、
前記横棒が、第二傾斜端を有し、
前記第一及び第二傾斜端が組み合わされサイドフレームを形成する、
請求項１〜５の何れか一に記載の家具。
【考案の詳細な説明】
【技術分野】
【０００１】
本考案は家具の構成部品を接続する接続部材が隠され、あるいは構成部品の内側に配される家具に関する。また、各構成部品が安定的に固定される家具に関する。
【背景技術】
【０００２】
従来の家具は、特許公報第３１０３１８９号（特許文献１）で開示されるように、二つのサイドフレーム及び補助棒を含んでなり、中空の補助棒にねじ部材が通され、ねじ部材及び補助棒の間にブッシュが接続される。そして、ねじ部材がサイドフレームの穴部に通され、ナットを用いて、サイドフレームと補助棒が接続される。
【０００３】
ここで、サイドフレームの穴部から延びたねじ部材は、サイドフレームの外側にむき出しの状態となり、そこにナットがはめ込まれ、ねじ接続される。これは、接続部分及びナットがサイドフレームの外側に露出し、構成部品が増加し、また、装飾的な美しさが損なわれることとなる。
【０００４】
さらに、ラックの上部にロッドが設けられ、サイドフレームにはロッドと接続される管状部材が設けられる。ここで、ラックには複数の穴が開けられ、このためにラックの強度が下がり、ラックの上に重量の大きなものを置いた際に、ラックが破損するおそれがあった。また、ラックの上部の上面及び下面には、各穴に対応する二つのクランプ部材が設けられ、ラックの上部を締め付けるが、このような接続は、ラックの水平を保つことが困難であった。また、クランプ部材による締め付けが強すぎると、ラックの上部が破損するおそれがあり、締め付けが不十分であると、ラックの安定が損なわれるという問題があった。
【特許文献１】特許公報第３１０３１８９号
【考案の開示】
【考案が解決しようとする課題】
【０００５】
本考案の目的は、接続部材が隠され、また安定したラックを有する家具を提供することである。
【課題を解決するための手段】
【０００６】
本考案者らは、鋭意研究を重ねた結果、ラックに接続穴を有する接続板を設けることによって、上記課題を解決する家具を完成した。
【０００７】
すなわち、本考案の家具は、以下よりなる。
１．二つの脚部及び該二つの脚部間に接続された横棒を備えた二つのサイドフレームからなる家具であって、
前記二つのサイドフレーム間に接続されるラックと、
前記ラックに設けられた複数の接続板と、
前記接続板を通じ、前記ラックをサイドフレームの内側に固定する接続部材と、
前記ラック上部に設けられた管状部材と、
下部に複数の挿入部を有する天板と、
前記ラック上部に設けられた管状部材を通じ、前記挿入部に接続され、天板を固定する接続部材と
を含むことを特徴とする家具。
２．前記サイドフレームの脚部及び横棒が、Ｌ字型の角部材によって接続され、
前記ラックに設けられた複数の接続板が、接続穴を有し、
前記Ｌ字型の角部材が受け穴を有し、
前記サイドフレームの脚部及び横棒の内側に、前記接続穴及び受け穴に対応する開口部が設けられ、
前記接続穴、開口部、及び受け穴に接続部材が通され、サイドフレーム及びラックが接続されることを特徴とする、
前項１に記載の家具。
３．前記ラックが、二つの補助サイドフレームを含み、
前記補助サイドフレームが、二つの補助脚部及び該補助脚部の間に接続されるブリッジを含み、
前記補助サイドフレームの間に、複数の補助横棒が接続され、
前記補助横棒上に載せられる棚板が傷つかないように、前記補助横棒上に複数のソフトパッドが設けられる、
前項１又は２に記載の家具。
４．前記補助サイドフレームのブリッジが、前記管状部材に連通する複数の貫通穴を有し、
前記天板の挿入部が管状部材の内部に挿入され、
前記貫通穴、管状部材、及び挿入部に接続部材が通され、前記補助サイドフレーム及び天板が接続される、前項１〜３の何れか一に記載の家具。
５．前記サイドフレームが、その脚部の下方内側にねじ穴を有し、
前記ラックの接続板の接続穴及び前記ねじ穴が接続部材で接続される
前項１〜４の何れか一に記載の家具。
６．前記脚部が、第一傾斜端を有し、
前記横棒が、第二傾斜端を有し、
前記第一及び第二傾斜端が組み合わされサイドフレームを形成する、
前項１〜５の何れか一に記載の家具。
【考案の効果】
【０００８】
本考案によれば、家具における接続部材がその内側に隠れ、家具の外観を損なわず、また、ラック及びサイドフレームを安定的に固定することができる。
【考案を実施するための最良の形態】
【０００９】
以下に、本考案の一実施形態を示し、具体的に説明するが、本考案はこれらに限定されるものではない。
【００１０】
図１及び図２に示すように、本考案の家具は二つのサイドフレーム１０を含み、各サイドフレーム１０は二つの脚部１１と、二つの脚部１１間に接続される横棒１２を備える。ラック２０は二つのサイドフレーム１０の間に接続され、天板３０はラック２０上に接続され、二つのサイドフレーム１０の横棒１２上に設置される。
【００１１】
図３から図７に示すように、各サイドフレーム１０の脚部１１と横棒１２は９０度の角度で接続され、二つのＬ字型の角部材１３が、脚部１１及び横棒１２にはめ込まれ、脚部１１及び横棒１２が接続される。各脚部１１が第一傾斜端を有し、それに対応して、横棒１２に第二傾斜端が設けられ、脚部１１及び横棒１２が組み合わされている。
【００１２】
ラック２０は、二つの補助サイドフレームを含み、複数の補助横棒が、二つの補助サイドフレーム間に接続される。各補助サイドフレームは、二つの補助脚部２１を含み、ブリッジ２２が二つの補助脚部２１の間に接続される。補助横棒上に載せられる複数の棚板３００が傷付かないように、複数のソフトパッド２２１が補助横棒上に設けられる。補助サイドフレームのブリッジ２２には、ブリッジ２２から伸びる管状部材２３に連通する貫通穴２２２が設けられる。天板３０には、その下側に複数の挿入部３１が設けられ、天板３０の挿入部３１は、管状部材２３に挿入される。接続部材４０は、貫通穴２２２及び管状部材２３に通され、挿入部３１内部に設けられたネジ穴３１１にネジ接続される。
【００１３】
四つの接続板２１１がラック２０の端部から伸び、各接続板２１１には接続穴２１２が設けられる。脚部１１と横棒１２には、接続板２１１の接続穴２１２及び角部材１３の受け穴１３１に対応する、開口部１１２、１２２が設けられている。接続部材４０は、ラック２０の接続穴２１２とサイドフレームの開口部１１２、１２２に通され、角部材１３の受け穴１３１に接続される。
【００１４】
さらに、サイドフレーム１０の脚部１１には、その下部内側に、ネジ穴１１３が設けられており、ラック２０下端の接続板２１１の接続穴２１２に接続部材４０を通じ、脚部のネジ穴１１３と接続される。
【００１５】
ここで、全ての接続部材４０は、二つのサイドフレーム１０の内側に配置される。また、ラック２０は、接続板２１１を用いてサイドフレーム１０に接続される。
【産業上の利用可能性】
【００１６】
本考案により、接続部が外面に表れず、また、各構成部品が安定的に固定された家具を製造可能となる。
【図面の簡単な説明】
【００１７】
【図１】本考案の家具の斜視図である。
【図２】本考案の家具の分解図である。
【図３】本考案の家具の側面図である。
【図４】本考案の家具の正面図である。
【図５】本考案の家具の角部材及び、傾斜端を示す図である。
【図６】本考案の家具の横棒の切断図である。
【図７】本考案の家具の、角部材、脚部、及び横棒の接続の状態を示す切断図である。
【符号の説明】
【００１８】
１０      サイドフレーム
１１      脚部
１１２    開口部
１１３    ネジ穴
１２      横棒
１２２    開口部
１３      角部材
２０      ラック
２１      補助脚部
２１１    接続板
２１２    接続穴
２２      ブリッジ
２２１    ソフトパッド
２２２    貫通穴
２３      管状部材
３０      天板
３００    棚板
３１      挿入部
３１１    ネジ穴
４０      接続部材
【図１】
0003117653.tif 000003
【図２】
0003117653.tif 000004
【図３】
0003117653.tif 000005
【図４】
0003117653.tif 000006
【図５】
0003117653.tif 000007
【図６】
0003117653.tif 000008
【図７】
0003117653.tif 000009